(57)【要約】【課題】玉鎖の弛みによって玉鎖が周辺部材と干渉を起し、排水弁が良好に閉弁しなくなる問題を解決することのできる便器洗浄用の洗浄水の排出装置を提供する。【解決手段】フロート弁からなる排水弁３２と、洗浄ハンドルと、洗浄ハンドルから洗浄タンク内部に突き出た作用レバーに一端側が連結され、他端側が連結部材９２にて排水弁３２の側に連結される玉鎖４４とを有する洗浄水の排出装置において、連結部材９２に、上方に向って大径化するテーパ形状の且つ上端が開口形状の筒状をなし、玉鎖４４の連結部材９２への結合位置から所定長上側の部分までの下部を外側から囲い込んで位置規制し、弛みによるはみ出し防止するガイド部１０８を一体に備えておく。【選択図】        図２
2010101047.tif 000002
【特許請求の範囲】
【請求項１】
(イ)洗浄タンクの底部に開閉可能に設けられ、開弁により該洗浄タンク内部の洗浄水を便器に向けて排出口から排出する排水弁と、(ロ)該洗浄タンクの壁部に回転可能に設けられ、前記排水弁を開操作する洗浄ハンドルと、(ハ)該洗浄ハンドルから前記洗浄タンク内部に突き出た作用レバーに一端側が連結され、他端側が連結部材に結合されて該連結部材にて前記排水弁の側に連結され、前記洗浄ハンドルの開操作により前記排水弁を引き上げて開弁させる玉鎖と、を有する便器洗浄用の洗浄水の排出装置において、
前記連結部材には、上端が開口形状の筒状をなし、前記玉鎖の前記連結部材への結合位置から所定長上側の部分までを外側から囲い込んで、該玉鎖の下部を位置規制するガイド部が一体に備えてあることを特徴とする便器洗浄用の洗浄水の排出装置。
【請求項２】
請求項１において、前記ガイド部を上方に向って漸次拡がる形状の筒状となしてあることを特徴とする便器洗浄用の洗浄水の排出装置。
【請求項３】
請求項１，２の何れかにおいて、前記ガイド部には、前記玉鎖を前記連結部材の結合部に結合又は結合解除するための作業用の側面開口部が設けてあることを特徴とする便器洗浄用の洗浄水の排出装置。
【請求項４】
請求項１〜３の何れかにおいて、前記排出装置は、(ａ)小洗浄時においては水抜孔の閉鎖により内部に水を溜めた状態となって前記排水弁に対する錘となり、該排水弁を早く閉弁させて前記洗浄水の排出水量を小洗浄用に少なく規制する一方、大洗浄時には該水抜孔の開放により水が抜けて該排水弁を遅く閉弁させ、前記小洗浄時よりも多く洗浄水を排出させる、該排水弁と一体的に昇降する大小洗浄切替用の洗浄切替カップと、(ｂ)該洗浄切替カップの水抜孔を開閉する切替弁とを有していて、前記玉鎖が前記連結部材にて該切替弁に連結され、該洗浄切替カップは該玉鎖の該連結部材への結合位置よりも上側まで突き出しているとともに、該洗浄切替カップと該玉鎖との間の位置に該洗浄切替カップの前記水抜孔を開閉する、前記切替弁から延び出た弁体が位置していることを特徴とする便器洗浄用の洗浄水の排出装置。
【請求項５】
請求項４において、前記ガイド部は、前記切替カップの上端部まで上向きに立ち上がっていることを特徴とする便器洗浄用の洗浄水の排出装置。
【発明の詳細な説明】
【技術分野】
【０００１】
この発明は、洗浄タンク内部に貯えた洗浄水を排水弁の開弁により排出口から便器に向けて排出する便器洗浄用の洗浄水の排出装置に関する。
【背景技術】
【０００２】
従来、(イ)洗浄タンクの底部に開閉可能に設けられ、開弁により洗浄タンク内部の洗浄水を便器に向けて排出口から排出するフロート弁からなる排水弁と、(ロ)洗浄タンクの壁部に回転可能に設けられ、排水弁を開操作する洗浄ハンドルと、(ハ)洗浄ハンドルから洗浄タンク内部に突き出た作用レバーに一端側が連結され、他端側が連結部材に結合されて連結部材にて排水弁の側に連結され、洗浄ハンドルの開操作により排水弁を引き上げて開弁させる玉鎖と、を有する便器洗浄用の洗浄水の排出装置が広く用いられている。
【０００３】
近年洗浄タンクのコンパクト化が進んでおり、洗浄タンク内部においてボールタップや浮玉、オーバーフロー管その他の部材が所狭しと並んでおり、これに伴って洗浄タンク内部に突き出した作用レバーと排水弁の側とを繋ぐ玉鎖が周辺部材と干渉し、絡まりを生じることがある。
こうした問題点については下記特許文献１にも指摘されている。
【０００４】
このように玉鎖が周辺部材と干渉し、絡まりを生じる現象は、主として次のような場合に生ずる。
この種洗浄水の排出装置では、洗浄ハンドルを回転させて開操作すると玉鎖が引張状態となって、玉鎖により排水弁が引き上げられ、これにより排出口が開放されて洗浄タンク内部の洗浄水が便器に向けて排出される。
【０００５】
通常の洗浄水の排出装置の場合、洗浄ハンドルは続いて元へと戻されるが、このとき排水弁は浮力によって浮き上がった状態にあり、その結果玉鎖は弛んだ状態となる（後述の洗浄切替カップ及び切替弁を備えたものにおいては、小洗浄時においても洗浄ハンドルは開操作後直ぐに戻される）。
このとき、玉鎖はこれを排水弁の側に連結する連結部材への結合位置から急激に曲り、その結合位置に続く下部が弛みによって周辺にはみ出した状態となる。
そしてその弛みによって周辺に曲りはみ出した玉鎖の下部が、周辺部材と干渉して絡まったり引掛ったりしてしまうことがある。
【０００６】
このような状態になると、玉鎖の長さが実質的に短くなったのと同様となり、その後に排水弁が下降開始したときに玉鎖が引張された状態となって排水弁が閉弁位置まで下降できず、その結果排出口が開いたままとなって洗浄タンク内の水が出っ放しとなってしまう。
このような現象は、洗浄切替カップ及び切替弁を備えた洗浄水の排出装置に特に生じ易い。
【０００７】
従来、洗浄水の排出装置として、(ａ)小洗浄時においては水抜孔の閉鎖により内部に水を溜めた状態となって排水弁に対する錘となり、排水弁を早く閉弁させて洗浄水の排出水量を小洗浄用に少なく規制する一方、大洗浄時には水抜孔の開放により水が抜けて排水弁を遅く閉弁させ、小洗浄時よりも多く洗浄水を排出させる、排水弁と一体的に昇降する大小洗浄切替用の洗浄切替カップと、(ｂ)洗浄切替カップの水抜孔を開閉する切替弁と、を有するものが知られている（このような洗浄水の排出装置については下記特許文献２に開示されている）。
【０００８】
その一例が図７に示してある。
図７において、２００はフロート弁からなる排水弁、２０２は玉鎖で、２０４は洗浄切替カップである。
ここで洗浄切替カップ２０４は下カップ２０４-１と上カップ２０４-２とから成っている。下カップ２０４-１には水抜孔２０６-１が設けられ、また上カップ２０４-２には水抜孔２０６-２が設けられている。
２０８は、軸２１０を中心として図中左右方向に揺動する切替弁で、この切替弁２０８に対して玉鎖２０２の下端が連結部材２１２にて連結されている。
【０００９】
切替弁２０８は、水抜孔２０６-１，２０６-２を同時に閉鎖し、また開放するもので、下部に水抜孔２０６-１を開閉する下弁体２１４-１が、またアーム２１６の上部に水抜孔２０６-２を開閉する上弁体２１４-２が設けられている。
尚、洗浄切替カップ２０４及び切替弁２０８は排水弁２００と一体的に昇降するようになっている。
【００１０】
この図７（Ａ）に示す洗浄水の排出装置にあっては、洗浄切替カップ２０４内部に溜まった水が排水弁２００に対する錘として作用し、また図中実線で示す小洗浄時と、点線で示す大洗浄時とでその錘としての作用が異なり、これにより大洗浄と小洗浄とを切り替えるもので、従ってこの排出装置では小洗浄時においても洗浄ハンドルを開位置に保持している必要はない。
【００１１】
ところがこの洗浄水の排出装置の場合、玉鎖２０２の連結部材２１２への結合位置の直近に洗浄切替カップ２０４の一部をなす上カップ２０４-２や、上弁体２１４-２が位置しているため、洗浄ハンドルを回転させて開操作した後にこれを戻すと、連結部材２１２への結合位置で大きく曲り、弛みを生じて周辺にはみ出した玉鎖２０２の下部が、図７（Ｂ）に示すように連結部材２１２と上弁体２１４-２との間や、上タンク２０４-２との間等で輪Ｗを作ってしまい、続いて排水弁２００が下降開始したときにこの輪Ｗが、連結部材２１２と上弁体２１４-２や上カップ２０４-２等とで挟まれたり、上弁体２１４-２に引掛ったりしてしまうことがある。
その場合、玉鎖２０２の実質的な長さが短くなってしまって、排水弁２００の下降途中で玉鎖２０２が引張状態となり、その結果排水弁２００が閉弁位置まで下降できず、洗浄タンク内の洗浄水が出っ放しとなってしまう問題を生じる。
【００１２】
尚、特許文献１ではこのような玉鎖の弛みを防止するために、玉鎖の下部を連結部材とともにビニールチューブにて取り囲むようにする点が開示されているが、このビニールチューブはそれ自体他とは独立した部材であり、かかるビニールチューブを所定の位置に装着するための作業が面倒である他、玉鎖２０２による排水弁２００の引上げを繰り返しているうちにビニールチューブの位置が玉鎖２０２に沿ってずれたり移動してしまう恐れがあり、この場合ビニールチューブが本来の働きをなし得なくなってしまう恐れがあり、信頼性の点で必ずしも十分ではない。
【００１３】
【特許文献１】実開昭６０−４６７２号公報
【特許文献２】特開２００７−１９７９８５号公報
【発明の開示】
【発明が解決しようとする課題】
【００１４】
本発明は以上のような事情を背景とし、玉鎖の弛みによって玉鎖が周辺部材と干渉を起し、排水弁が良好に閉弁しなくなる問題を解決することのできる便器洗浄用の洗浄水の排出装置を提供することを目的としてなされたものである。
【課題を解決するための手段】
【００１５】
而して請求項１のものは、(イ)洗浄タンクの底部に開閉可能に設けられ、開弁により該洗浄タンク内部の洗浄水を便器に向けて排出口から排出する排水弁と、(ロ)該洗浄タンクの壁部に回転可能に設けられ、前記排水弁を開操作する洗浄ハンドルと、(ハ)該洗浄ハンドルから前記洗浄タンク内部に突き出た作用レバーに一端側が連結され、他端側が連結部材に結合されて該連結部材にて前記排水弁の側に連結され、前記洗浄ハンドルの開操作により前記排水弁を引き上げて開弁させる玉鎖と、を有する便器洗浄用の洗浄水の排出装置において、前記連結部材には、上端が開口形状の筒状をなし、前記玉鎖の前記連結部材への結合位置から所定長上側の部分までを外側から囲い込んで、該玉鎖の下部を位置規制するガイド部が一体に備えてあることを特徴とする。
【００１６】
請求項２のものは、請求項１において、前記ガイド部を上方に向って漸次拡がる形状の筒状となしてあることを特徴とする。
【００１７】
請求項３のものは、請求項１，２の何れかにおいて、前記ガイド部には、前記玉鎖を前記連結部材の結合部に結合又は結合解除するための作業用の側面開口部が設けてあることを特徴とする。
【００１８】
請求項４のものは、請求項１〜３の何れかにおいて、前記排出装置は、(ａ)小洗浄時においては水抜孔の閉鎖により内部に水を溜めた状態となって前記排水弁に対する錘となり、該排水弁を早く閉弁させて前記洗浄水の排出水量を小洗浄用に少なく規制する一方、大洗浄時には該水抜孔の開放により水が抜けて該排水弁を遅く閉弁させ、前記小洗浄時よりも多く洗浄水を排出させる、該排水弁と一体的に昇降する大小洗浄切替用の洗浄切替カップと、(ｂ)該洗浄切替カップの水抜孔を開閉する切替弁とを有していて、前記玉鎖が前記連結部材にて該切替弁に連結され、該洗浄切替カップは該玉鎖の該連結部材への結合位置よりも上側まで突き出しているとともに、該洗浄切替カップと該玉鎖との間の位置に該洗浄切替カップの前記水抜孔を開閉する、前記切替弁から延び出た弁体が位置していることを特徴とする。
【００１９】
請求項５のものは、請求項４において、前記ガイド部は、前記切替カップの上端部まで上向きに立ち上がっていることを特徴とする。
【発明の作用・効果】
【００２０】
以上のように本発明は、上端が開口形状の筒状をなし、玉鎖の連結部材への結合位置から所定長上側の部分までを外側から囲い込んで、玉鎖の下部を位置規制するガイド部を連結部材に一体に備えたものである。
【００２１】
開操作された洗浄ハンドルが元に戻されて玉鎖が引張解除されたとき、その弛みが最も大きく生じるのは連結部材への結合位置に続く玉鎖の下部であり、前述したようにその下部が結合位置で急激に曲って周辺にはみ出してしまう。
【００２２】
しかるに本発明では、連結部材にガイド部が一体に備えてあって、玉鎖における上記の結合位置から所定長上側までの下部がガイド部内に収められ、かかる下部がガイド部によって位置規制されて周辺へのはみ出しが良好に防止される。
【００２３】
これにより、大きく弛みを生じて周辺にはみ出した玉鎖の下部が周辺部材と干渉したり、引掛かったりするのが有効に防止され、排水弁の下降時に排水弁が玉鎖により引張られて閉弁できず、洗浄タンク内の洗浄水が出っ放しとなってしまう問題を解決することができる。
【００２４】
本発明では、かかるガイド部が連結部材に一体に構成されており、従ってガイド部のための特別の部材を別途に必要とせず、所要部品点数が従来に比べて特に増えることもなく、洗浄水の排出装置を従来と同様の簡単な構造で構成することができる。
【００２５】
加えてガイド部が連結部材と一体に構成されているため、玉鎖にて排水弁の引上げを繰り返すうちに、ガイド部が玉鎖に沿って位置ずれしたり移動してしまうといった恐れはなく、従ってそれら位置ずれや移動によってガイド部が本来の機能を発揮しなくなったりする恐れはなく、ガイド部の働きを信頼性の高いものとなすことができる。
【００２６】
本発明では、かかるガイド部を、上方に向って漸次拡がる形状の筒状となしておくことができる（請求項２）。
ガイド部の形状が軸方向に同径のストレート形状の筒状をなしている場合、ガイド部の上端で玉鎖の角度が急激に変化し、洗浄ハンドルの回転による開操作によって、玉鎖により排水弁を持ち上げようとしたとき、排水弁を上向きに持ち上げるための操作力が排水弁に有効に伝わり難くなり、また玉鎖とガイド部の上端との間に生ずる抵抗力によって洗浄ハンドルにかかる負荷も大きくなってしまう。
【００２７】
しかるに本発明ではかかるガイド部が上端に向って漸次拡がる形状をなしているため、ガイド部上端での玉鎖の急激な角度の変化を抑制し得、洗浄ハンドルによる操作力を効果的に排水弁に伝え得、また洗浄ハンドルにかかる負荷を小さく抑制することができる利点が得られる。
【００２８】
更にガイド部がこのような上向きに拡がる形状をなしていることによって、ガイド部の内部である程度の玉鎖の弛みを許容し、従ってガイド部から出た部分での玉鎖の弛みを少なくできる利点も得られる。
ここでガイド部を含む連結部材は硬質の樹脂製となしておくことができる。
【００２９】
本発明では、また、かかるガイド部に、玉鎖を連結部材の結合部に結合又は結合解除するための作業用の側面開口部を設けておくことができる（請求項３）。
このようにすることで、ガイド部が連結部材と一体に構成されているにも拘らず、ガイド部の内部に挿入した玉鎖を側面開口部を通じて外部に引き出すことができ、玉鎖の着脱を支障なく行うことができる。
【００３０】
本発明は、請求項４に規定するように洗浄切替カップ及び切替弁を備え、玉鎖が連結部材にて切替弁に連結される形式のものに適用して特に好適なものである。
この場合において上記のガイド部は、切替カップの上端部まで上向きに立ち上がる形態となしておくのが望ましい（請求項５）。
【発明を実施するための最良の形態】
【００３１】
次に本発明の実施形態を図面に基づいて詳しく説明する。
図１において、１０は洗浄タンクで、陶器製のアウタータンク１２と、その内側の樹脂製のインナータンク１４との二重タンク構造をなしている。
アウタータンク１２の上部には、その蓋を兼用した陶器製の手洗鉢１６が設けられており、この手洗鉢１６から手洗吐水管１８が起立する形態で設けられている。
手洗鉢１６の底部には排水孔２０が設けられており、手洗吐水管１８から吐水された手洗水が、この排水孔２０から洗浄タンク１０内部へと落下する。
【００３２】
洗浄タンク１０の内部には、ボールタップ２２が配設されている。
このボールタップ２２は、弁部が連動アーム２４及び調節用のボルト２６を介して浮玉２８に連設されており、浮玉２８の昇降によって弁部を開閉し、その弁部の開閉によって洗浄タンク１０内への給水及び給水停止を行う。
ここで調節用のボルト２６は、浮玉２８の上下位置の調節を行うものである。
このボールタップ２２には、洗浄タンク１０内部に給水を行うための吐水部２９が設けられており、更にこのボールタップ２２からは手洗吐水管１８への給水を行うための蛇腹管から成る導水管３０が延び出していて、その先端部が手洗吐水管１８に差込接続されている。
【００３３】
洗浄タンク１０の底部には、フロート弁から成る排水弁３２が配設されている。
この排水弁３２は中空の球状をなしており、この排水弁３２が弁座３６から浮き上がることによって排出口３８を開放し、洗浄タンク１０内部の洗浄水を便器に向けて排出口３８から排出させる。
また排水弁３２が弁座３６に着座することによって排出口３８を閉鎖する（図１参照）。
【００３４】
一方洗浄タンク１０の側壁には、洗浄ハンドル４０が回転可能に取り付けられている。
この洗浄ハンドル４０からはＬ字状をなす作用レバー４２が洗浄タンク１０内部に突き出しており、その先端と排水弁３２とが玉鎖４４にて、洗浄切替カップ４６を介し繋がれている。
ここで洗浄切替カップ４６と排水弁３２とは一体的に上下動するように連設されており、更にまた洗浄切替カップ４６には円筒状のガイド部４８が設けられていて、そのガイド部４８がオーバーフロー管５０の外周面に上下摺動可能に外嵌されている。
洗浄切替カップ４６及び排水弁３２は、これらガイド部４８及びオーバーフロー管５０の案内の下に上下動する。
【００３５】
図２に、洗浄切替カップ４６の構成が具体的に示してある。
この図に示しているように、洗浄切替カップ４６は、主カップとしての下カップ５２と、下カップ５２に対して別体を成し、下カップ５２とは非連通の独立したアダプタカップとしての上カップ５４とで構成してある。
ここで下カップ５２，上カップ５４の何れも上端が開放されている。
【００３６】
下カップ５２は円筒形状をなしていて、その内部に水溜室５６を有し、また底部には水抜孔５８が設けられている。
一方上カップ５４は図３に示しているように平面形状が概略矩形状をなしており、図１に示しているように下カップ５２に対して洗浄タンク１０の前壁側に偏った位置に設けられている。
詳しくは、上カップ５４はその周壁の図２中左側の前部及び右側の後部のそれぞれが、下カップ５２における周壁の対応する前部及び後部よりもタンク壁側、詳しくは前壁側にずれた位置に配置されている。
【００３７】
この上カップ５４は、その内部に水溜室６０を有しており、また周壁後部（図中右部）の下端部に水抜孔６２が設けられている。
上カップ５４の下端部には、リング状の嵌込部６６が設けられている。上カップ５４は、このリング状の嵌込部６６を下カップ５２の上端部に嵌め込むことで、下カップ５２に脱着可能に組み付けられている。
【００３８】
６８は切替弁で、下カップ５２に対して上下位置が固定に設けられた筒体７０と、その内部に上下移動可能に挿通された弁軸７２とを有しており、この弁軸７２の上端部に、上記の玉鎖４４が後述の連結部材９２にて連結されている。弁軸７２はこの玉鎖４４の引上げによって、筒体７０内部を上向きに相対移動する。
ここで上タンク５４は、玉鎖４４の連結部材９２への結合位置よりも上方に突き出している。
【００３９】
尚、弁軸７２には図中下部に段付部７３が設けられている。
一方筒体７０には、軸方向の対向する位置に段付部７７が設けられている。
従って弁軸７２が持ち上げられ、これら段付部７３，７７が当接した後においては、弁軸７２とともに筒体７０が持ち上げられる。
即ち玉鎖４４によって切替弁６８の全体が引き上げられ、そして切替弁６８が引き上げられることによって、後に明らかになるように洗浄切替カップ４６及び排水弁３２が一体的に持ち上げられる。
【００４０】
弁軸７２の下端部には、下カップ５２の水抜孔５８を開閉する下弁体８０が設けられており、かかる下弁体８０が、弁軸７２と一体にコイルスプリング８２にて下向きに付勢されている。
筒体７０には、図３にも示しているようにその上端部に軸７４が設けられており、この軸７４が、下カップ５２から上向きに立ち上がった一対の軸受部７６の軸孔７８に回転可能に嵌合されている。
これによって切替弁６８が、詳しくは筒体７０が軸７４の軸心周りに図２中左右方向に揺動可能とされている。
【００４１】
切替弁６８、詳しくは筒体７０からは板状のアーム８４が上カップ５４側に延び出しており、そのアーム８４の先端に、アーム８４から折れ曲って上向きに立ち上がる板状部と、その板状部に突出状に設けられ、水抜孔６２に入り込む突出部とから成る水抜孔６２の開閉用の上弁体８６が設けられている。
【００４２】
ここで上弁体８６は、図５に示しているように下弁体８０が下カップ５２の水抜孔５８を開放したときには、上カップ５４の水抜孔６２を開放し、また図２にも示しているように下弁体８０が下カップ５２の水抜孔５８を閉鎖したときには、上カップ５４の水抜孔６２を閉鎖する。
尚、図５（Ｂ）は大洗浄を行う際の洗浄切替カップ４６及び切替弁６８の状態を表しており、また図２及び図５（Ａ）は小洗浄を行う際のそれら洗浄切替カップ４６及び切替弁６８の状態を表している。
【００４３】
洗浄切替カップ４６には、上カップ５４の真下位置且つ下カップ５２に対して高位置に、節水カップ８８が脱着可能に取り付けられている。
この節水カップ８８は、内部の水溜室９０に常時水を貯めた状態にあって、排水弁３２に対し常時錘として作用する。
ここで節水カップ８８は、上端が開放形状とされている。
【００４４】
この洗浄切替カップ４６及び切替弁６８は次のように作用する。
この実施形態では、大洗浄を行うために洗浄ハンドル４０を図５（Ｂ）中反時計回り方向、即ち洗浄タンク１０の後壁側に回転し開操作すると、玉鎖４４が奥側に引張られることによって切替弁６８が図中時計方向に回転動作し、下カップ５２の水抜孔５８及び上カップ５４の水抜孔６２のそれぞれを開放状態とする。
そしてこの状態で排水弁３２及び洗浄切替カップ４６が玉鎖４４の引き上げによって一体に上昇し、図１の排出口３８を開放する。
これによって洗浄タンク１０内部に貯えられていた洗浄水が排出口３８から下向きに排出開始される。
【００４５】
洗浄水の排出に伴って洗浄タンク１０内の洗浄水の水面が下がり、そして水面が上カップ５４の上端に達してからは、その水面の下降とともに、上カップ５４内部の水が水抜孔６２から水抜きされる。
但しこのとき、水抜孔６２における抵抗によって洗浄タンク内の洗浄水の水面の下降速度よりも上カップ５４内の水面の下降速度は遅くなる。
その結果として上カップ５４が排水弁３２に対する錘として作用する。
【００４６】
従ってこのような上カップ５４が無い場合に比べて排水弁３２は早い段階から下降開始し、洗浄水量の節水が行われる。
水面が更に下降して節水カップ８８にさしかかると、内部に水を貯めた節水カップ８８の排水弁３２に対する錘の作用が加わり、引続く水面の下降に伴って洗浄切替カップ４６及び排水弁３２がともに下降する。
【００４７】
尚このとき、下カップ５２は水没状態にあって排水弁３２に対する錘としては働かない。
下カップ５２は単独では洗浄切替カップとして働き、また節水を行う機能も有するが、上カップ５４を下カップ５２に取り付けることによって、下カップ５２の洗浄切替カップとしての機能及び排水弁３２に対する錘として作用は無くなり、上カップ５４が洗浄切替カップとして働き、また排水弁３２に対する錘として作用する。
その後最終的に排水弁３２が弁座３６に着座し閉弁して、排出口３８からの洗浄水の放出が停止する。
【００４８】
一方小洗浄を行うときには、洗浄ハンドル４０を図５（Ａ）中時計回り方向、つまり洗浄タンク１０の前壁側に回転させ開操作する。
このとき切替弁６８は、玉鎖４４が図５（Ａ）中左側（午前側）に引張られることによって、軸７４を中心として反時計方向に回転動作し、下カップ５２の水抜孔５８及び上カップ５４の水抜孔６２を閉鎖した状態となる。
排水弁３２は、この状態で玉鎖４４の引上げによって洗浄切替カップ４６とともに上方に持ち上げられ、排出口３８を開放する。
そしてこれと同時に排出口３８からの洗浄水の排出が開始される。
【００４９】
洗浄水の排出に伴って洗浄タンク１０内部の水面は下降する。
この小洗浄時においては、洗浄切替カップ４６における上カップ５４の水抜孔６２は閉鎖された状態にあり（下カップ５２の水抜孔５８も閉鎖状態）、上カップ５４は内部の水溜室６０に水を溜めた状態にあって、排水弁３２に対する錘として作用する。
【００５０】
従ってこの小洗浄時においては、洗浄タンク１０内の洗浄水の水面が上カップ５４に差し掛かると、その上カップ５４の錘としての作用が加わり且つ上カップ５４内の満水状態の水全体が錘となって大洗浄時よりも重くなるため、排水弁３２が洗浄切替カップ４６及び節水カップ８８とともに大洗浄時よりも早い段階から下降開始し、閉弁するまでの時間が短くなる。従ってその間に排出口３８から排出される洗浄水の排出量が少なく規制され、少量の洗浄水にて便器の小洗浄を行う。
【００５１】
この実施形態では、玉鎖４４の下端が連結部材９２に結合され、かかる連結部材９２にて上記の弁軸７２、即ち切替弁６８に連結されている。
図４に連結部材９２の具体的構成が詳しく示してある。
この実施形態において、連結部材９２はその下部に玉鎖４４と切替弁６８の弁軸７２とを連結する連結部９４を有している。
また連結部９４は、玉鎖４４との結合部９６を上側に、また弁軸７２との結合部９８を下側に有しており、そしてそれら上側の結合部９６と下側の結合部９８との間に側面の下部開口部９９が設けられている。
下側の結合部９８は概略円筒状をなしており、弁軸７２の上端部を下側から上向きに差し込むことで弁軸７２と結合される。
【００５２】
具体的には、弁軸７２の上端部には弾性を有する一対の係止爪１００が設けられており、この係止爪１００を上向きに挿入させ、そしてこれら係止爪１００を結合部９８の係止部１０２に係止させることで、弁軸７２が結合部９８に抜止状態に結合される。
【００５３】
尚これら係止爪１００には、互いに平行をなす平坦な形状の係合面１０１が設けられている。
一方連結部材９２側の結合部９８にも、その内面に対応する平坦な形状の係合面１０３が設けられ、これら係合面１０１と１０３との係合作用によって、弁軸７２と結合部９８との回転方向の相対位置が規定される。
【００５４】
一方上側の結合部９６には、その中心部に上下に貫通した係合孔１０６と、この係合孔１０６と下部開口部９９とを連絡するスリット状の挿入部１０４とが設けられている。
【００５５】
この結合部９６と玉鎖４４との結合は次のようにして行う。
即ち、図６（II）に示しているように玉鎖４４の下端部を、下部開口部９９を通じて内部に挿入し、続いて図６（II），（III）に示すように玉鎖４４におけるボール１０７と１０７とを連結する細い棒状のリンク１０９を、スリット状の挿入部１０４に挿入し且つ挿入部１０４に沿って上方に移動させ、係合孔１０６に持ち来す。
この状態で、係合孔１０６に挿通されたリンク１０９の上側のボール１０７と下側のボール１０７とが、係合孔１０６の上，下に位置した状態となり（図６（IV）参照）、ここにおいて玉鎖４４の下端が結合部９６に結合状態となる。
【００５６】
この実施形態では、連結部９４から上方に上向きに立ち上がる形態で筒状のガイド部１０８が連結部材９２に一体に構成されている。
ここで連結部材９２は硬質の樹脂製とされている。具体的にはここでは樹脂としてＰＯＭ（ポリオキシメチレン）が用いられている。
ガイド部１０８は、上方に向って漸次拡がるテーパ形状の且つ上端が開口形状の円筒状をなしている。
このガイド部１０８は、玉鎖４４の連結部、詳しくは結合部９６への結合位置から所定長上側の部分までの下部を外側から囲い込んで位置規制し、玉鎖４４の、結合位置から所定長上側の部分までの下部が弛みによって側方にはみ出すのを防止する働きをなす。
【００５７】
この実施形態において、ガイド部１０８は上カップ５４の上端部、詳しくはここでは図２に示しているようにその上端に到るまでの高さで上向きに立ち上がっている。
尚図４において、１１０はこのガイド部１０８の上端の開口部を表している。
【００５８】
ガイド部１０８にはまた、その側面で開口する上部開口部（側面開口部）１１１が設けられている。
この上部開口部１１１は、玉鎖４４を結合部９６に結合し或いは結合解除するための作業用の開口部としての意味を有するもので、この上部開口部１１１は、結合部９６に続いてその上側に設けられている。
尚ガイド部１０８と連結部９４とは同心状に設けられている。
【００５９】
この実施形態では、図６（Ｉ）に示しているように玉鎖４４をガイド部１０８の上端の開口部１１０を通じてガイド部１０８の内部に挿入し、そして図６（II）に示しているようにその下端側を上部開口部１１１を通じて外部に引き出すことで、ガイド部１０８が連結部９４に一体に構成されているにもかかわらず、玉鎖４４を支障無く連結部９４詳しくは結合部９６に結合することができる。
或いはまた必要が生じたときに簡単にその結合を外すことができる。
【００６０】
以上のような本実施形態においては、連結部材９２にガイド部１０８が一体に備えてあって、玉鎖４４における連結部材９２への結合位置から所定長上側までの下部がガイド部１０８内に収められ、かかる下部がガイド部１０８によって位置規制されて周辺へのはみ出しが良好に防止される。
【００６１】
これにより、玉鎖４４の下部が大きく弛みを生じて周辺にはみ出し、周辺に位置している部材、詳しくはここでは上弁体８６や上タンク５４と干渉したり、それらに引掛ったりするのが有効に防止され、排水弁３２の下降時に排水弁３２が玉鎖４４により引張られて閉弁できず、洗浄タンク１０内の洗浄水が出っ放しとなってしまう問題を解決することができる。
【００６２】
また本実施形態では、かかるガイド部１０８が連結部材９２に一体に構成されており、従ってガイド部１０８のための特別な部材を別途に必要とせず、所要部品点数が従来に比べて特に増えることもなく、洗浄水の排出装置を従来と同様の簡単な構造で構成することができる。
【００６３】
加えてガイド部１０８が連結部材９２に一体に構成されているため、玉鎖４４にて排水弁３２の引上げを繰り返すうちに、ガイド部１０８が玉鎖４４に沿って位置ずれしたり移動してしまうといった恐れはなく、従ってそれら位置ずれや移動によってガイド部１０８が本来の機能を発揮しなくなったりする恐れはなく、ガイド部１０８の働きを信頼性の高いものとなすことができる。
【００６４】
またガイド部１０８が上方に向って漸次拡がるテーパ形状の筒状をなしていることから次のような利点が得られる。
即ち、ガイド部の形状が軸方向に同径のストレート形状の筒状をなしていると、ガイド部の上端で玉鎖４４の角度が急激に変化し、洗浄ハンドル４０の回転による開操作によって玉鎖４４により排水弁３２を持ち上げようとしたとき、排水弁３２を上向きに持ち上げるための操作力が排水弁３２に有効に伝わり難く、また玉鎖４４とガイド部の上端との間に生ずる抵抗力によって洗浄ハンドル４０にかかる負荷も大きくなってしまう。
【００６５】
しかるにこの実施形態ではガイド部１０８が上端に向って漸次拡がる形状をなしているため、ガイド部１０８上端での玉鎖４４の急激な角度の変化を抑制し得、洗浄ハンドル４０による操作力を効果的に排水弁３２に伝え得、また洗浄ハンドル４０にかかる負荷を小さく抑制することができる利点が得られる。
【００６６】
更にガイド部１０８がこのような上向きに拡がる形状をなしていることによって、ガイド部１０８の内部である程度の玉鎖４４の弛みを許容し、従ってガイド部１０８から出た部分での玉鎖４４の弛みを少なくできる利点も得られる。
【００６７】
以上本発明の実施形態を詳述したがこれはあくまで一例示である。
例えば本発明は上記の洗浄切替カップ４６及び切替弁６８を備えておらず、玉鎖４４が連結部材にて直接排水弁に連結される形式の洗浄水の排出装置に対して適用することも可能であるし、また排水弁の構造についてもフロート弁だけでなく、フラッパ弁構造のものに対しても適用することが可能である等、本発明はその趣旨を逸脱しない範囲において種々変更を加えた形態で構成可能である。
【図面の簡単な説明】
【００６８】
【図１】本発明の一実施形態である洗浄水の排出装置を洗浄タンクの内部とともに示す正面断面図である。
【図２】同実施形態における連結部材を洗浄切替カップ及び切替弁とともに示す図である。
【図３】同実施形態における洗浄切替カップ及び切替弁を分解して示す斜視図である。
【図４】同実施形態における連結部材の構成を詳しく示した図である。
【図５】同実施形態の大洗浄時及び小洗浄時の作用説明図である。
【図６】同実施形態における連結部材に玉鎖を取り付ける手順を示す図である。
【図７】従来の洗浄水の排出装置を示す図である。
【符号の説明】
【００６９】
１０  洗浄タンク
３２  排水弁
３８  排出口
４０  洗浄ハンドル
４２  作用レバー
４４  玉鎖
４６  洗浄切替カップ
５８，６２  水抜孔
６８  切替弁
８０  下弁体
８６  上弁体
９２  連結部材
１０８  ガイド部
１０９  リンク
１１１  上部開口部（側面開口部）
【図１】
2010101047.tif 000003
【図２】
2010101047.tif 000004
【図３】
2010101047.tif 000005
【図４】
2010101047.tif 000006
【図５】
2010101047.tif 000007
【図６】
2010101047.tif 000008
【図７】
2010101047.tif 000009